(57)【要約】      （修正有）【課題】作業者の安全性を確保すると共に脚体の開閉操作を簡単容易に行えるようにした脚立式作業台を提供する。【解決手段】開閉可能な第１脚体２と第２脚体３に床天板５を架設すると共に床天板５の上方に延長支柱部２ｂを延設することにより作業空間を形成し、延長支柱部５に作業空間を囲む枠体６を設けた脚立式作業台１において、両脚体２,３の間に所定間隔をあけて配置した一対の回動柱部２C,３Cに枠体６の左右フレーム９を第１枢結手段１１と第２枢結手段１２により枢着すると共に、第１枢結手段１１の枢軸位置を第２枢軸手段１２の枢軸位置よりも左右フレーム９から所定距離だけ長い距離で離間して配置させ、開脚状態から一方の脚体２を持ち上げたとき第１枢結手段１１が左右フレーム９を押し上げることにより、枠体６の左右フレーム９と一対の回動柱部２C,３Cを平行に折り畳んだ状態で両脚体２,３を閉脚するように構成する。【選択図】図１
2015031103.tif 000002
【特許請求の範囲】
【請求項１】
それぞれ左右に支柱を備えた第１脚体と第２脚体を相互に上部の枢結手段を介して開閉可能に枢結し、両脚体に床天板を架設すると共に該床天板の上方に前記支柱の延長柱部を延設することにより作業空間を形成し、前記延長柱部に前記作業空間の少なくとも三方を囲む左右フレームと交差フレームを備えた枠体を設けて成る脚立式作業台において、
第１脚体(2)と第２脚体(3)の間で相互に対向する延長柱部(2b)(3b)は、相互に所定間隔(L1)をあけて配置された一対の回動柱部(2c)(3c)を構成し、
前記一対の回動柱部(2c)(3c)を前記枠体(6)の左右フレーム(9)に対して第１枢結手段(11)と第２枢結手段(12)により枢着すると共に、前記第１枢結手段(11)の枢軸位置(P1)を第２枢軸手段(12)の枢軸位置(P2)よりも左右フレーム(9)から所定距離(L2)だけ長い距離で離間するように配置しており、
開脚状態から一方の脚体(2)を持ち上げたとき第１枢結手段(11)が左右フレーム(9)を押し上げることにより、枠体(6)の左右フレーム(9)と一対の回動柱部(2c)(3c)を平行に折り畳んだ状態で両脚体(2)(3)を閉脚するように構成して成ることを特徴とする脚立式作業台。
【請求項２】
第１脚体(2)は、左右の支柱を踏桟により連結した昇降脚(2A)を構成し、第２脚体(3)は、左右の支柱を連結桟により連結した非昇降脚(3A)を構成し、作業者が昇降脚(2A)から作業空間に昇降するように構成した脚立式作業台において、
前記第１枢結手段(11)は、昇降脚(2A)を構成する支柱の回動柱部(2c)と左右フレーム(9)の間に設けられ、前記第２枢結手段(12)は、非昇降脚(3A)を構成する支柱の回動柱部(3c)と左右フレーム(9)の間に設けられており、
開脚状態から昇降脚(2A)を持ち上げたとき第１枢結手段(11)が左右フレーム(9)を押し上げることにより、枠体(6)の左右フレーム(9)と一対の回動柱部(2c)(3c)を平行に折り畳んだ状態で両脚体(2)(3)を閉脚するように構成して成ることを特徴とする請求項１に記載の脚立式作業台。
【請求項３】
第１枢結手段(11)は、左右フレーム(9)から回動柱部(2c)に向けて延びるアームブラケット(15)の先端部と該回動柱部(2c)を相互に枢結し、
第２枢結手段(12)は、左右フレーム(9)の外側面と回動柱部(3c)の内側面を相互に枢結しており、
枠体(6)の左右フレーム(9)と一対の回動柱部(2c)(3c)を平行に折り畳んだとき、左右フレーム(9)が非昇降脚(3A)における支柱の回動柱部(3c)(3c)の内側に格納されるように構成して成ることを特徴とする請求項２に記載の脚立式作業台。
【請求項４】
前記床天板(5)は、第１脚体(2)と第２脚体(3)の間で対向する支柱の一方の支柱(2a)に枢着手段(17)を介して枢着されると共に、他方の支柱(3a)に対してスライド機構(18)を介して折り畳み自在に構成されて成ることを特徴とする請求項１、２又は３に記載の脚立式作業台。
【請求項５】
前記スライド機構(18)は、支柱(3a)の内側に突設したガイドピン(24)を床天板(5)の側面に延設したガイド溝(23)に摺動自在に挿入することにより、前記支柱(3a)と床天板(5)の移動自在な交点を構成し、両脚体(2)(3)の閉脚及び開脚と連動して床天板(5)を回動させるように構成して成ることを特徴とする請求項４に記載の脚立式作業台。
【発明の詳細な説明】
【技術分野】
【０００１】
本発明は、作業者の安全性を確保すると共に脚体の開閉操作を簡単容易に行えるようにした脚立式作業台に関する。
【背景技術】
【０００２】
従来、脚立式作業台は、それぞれ左右に支柱を備えた第１脚体と第２脚体を相互に上部の枢結手段を介して開閉可能に枢結し、両脚体に床天板を架設すると共に該床天板の上方に前記支柱の延長柱部を延設することにより作業空間を形成し、前記延長支柱部に前記作業空間の少なくとも三方を囲む左右フレームと交差フレームを備えた枠体を設けている。
【０００３】
第１脚体は、左右の支柱を踏桟により連結した昇降脚を構成し、第２脚体は、左右の支柱を連結桟により連結した非昇降脚を構成している。従って、作業者は、昇降脚から作業空間に昇降し、床天板の上で高所作業を行うことができる。この際、作業空間は、前記枠体により囲まれているので、作業者の作業の安全性が確保される。
【先行技術文献】
【特許文献】
【０００４】
【特許文献１】登録実用新案第３１８０６２９号公報
【発明の概要】
【発明が解決しようとする課題】
【０００５】
脚立式作業台は、第１脚体と第２脚体の上端部を枢着した枢結手段により開閉可能とされており、両脚体を下方に向けて広がるように開脚した状態で使用され、作業が終わると、両脚体を平行となるように閉脚したコンパクトな状態で運搬・保管される。
【０００６】
ところで、上述の枠体は、開脚した使用状態では、水平姿勢とすることにより作業の安全性を確保する一方において、閉脚した不使用状態では、両脚と平行な鉛直姿勢とすることによりコンパクトに折り畳まれるように構成することが望ましい。
【０００７】
しかしながら、枠体の折り畳み機構と、前記両脚体の枢結手段による開閉機構を、別々に構成している場合は、閉脚に際して、両脚体を閉脚する作業と、枠体を水平姿勢から鉛直姿勢に姿勢変更させる作業の２作業が必要となり、同様に開脚に際しても、両脚体を開脚する作業と、枠体を鉛直姿勢から水平姿勢に姿勢変更させる作業の２作業が必要となるため、煩雑である。
【課題を解決するための手段】
【０００８】
本発明は、上記課題を解決した脚立式作業台を提供するものであり、その手段として構成したところは、それぞれ左右に支柱を備えた第１脚体と第２脚体を相互に上部の枢結手段を介して開閉可能に枢結し、両脚体に床天板を架設すると共に該床天板の上方に前記支柱の延長柱部を延設することにより作業空間を形成し、前記延長柱部に前記作業空間の少なくとも三方を囲む左右フレームと交差フレームを備えた枠体を設けて成る脚立式作業台において、第１脚体と第２脚体の間で相互に対向する延長柱部は、相互に所定間隔をあけて配置された一対の回動柱部を構成し、前記一対の回動柱部を前記枠体の左右フレームに対して第１枢結手段と第２枢結手段により枢着すると共に、前記第１枢結手段の枢軸位置を第２枢軸手段の枢軸位置よりも左右フレームから所定距離だけ長い距離で離間するように配置しており、開脚状態から一方の脚体を持ち上げたとき第１枢結手段が左右フレームを押し上げることにより、枠体の左右フレームと一対の回動柱部を平行に折り畳んだ状態で両脚体を閉脚するように構成して成る点にある。
【０００９】
本発明の好ましい実施形態において、第１脚体は、左右の支柱を踏桟により連結した昇降脚を構成し、第２脚体は、左右の支柱を連結桟により連結した非昇降脚を構成し、作業者が昇降脚から作業空間に昇降するように構成しており、前記第１枢結手段は、昇降脚を構成する支柱の回動柱部と左右フレームの間に設けられ、前記第２枢結手段は、非昇降脚を構成する支柱の回動柱部と左右フレームの間に設けられており、開脚状態から昇降脚を持ち上げたとき第１枢結手段が左右フレームを押し上げることにより、枠体の左右フレームと一対の回動柱部を平行に折り畳んだ状態で両脚体を閉脚するように構成している。
【００１０】
第１枢結手段は、左右フレームから回動柱部に向けて延びるアームブラケットの先端部と該回動柱部を相互に枢結し、第２枢結手段は、左右フレームの外側面と回動柱部の内側面を相互に枢結することが好ましく、これにより、枠体の左右フレームと一対の回動柱部を平行に折り畳んだとき、左右フレームが非昇降脚における支柱の回動柱部の内側に格納されるように構成することが可能となる。
【００１１】
前記床天板は、第１脚体と第２脚体の間で対向する支柱の一方の支柱に枢着手段を介して枢着されると共に、他方の支柱に対してスライド機構を介して折り畳み自在に構成することが好ましい。
【００１２】
この際、前記スライド機構は、支柱の内側に突設したガイドピンを床天板の側面に延設したガイド溝に摺動自在に挿入することにより、前記支柱と床天板の移動自在な交点を成し、両脚体の閉脚及び開脚と連動して床天板を回動させるように構成されていることが好ましい。
【発明の効果】
【００１３】
請求項１に記載の本発明によれば、両脚体２、３を開脚状態から閉脚する際は、一方の脚体２を持ち上げるだけで、第１枢結手段１１が左右フレーム９を押し上げることにより、枠体６の左右フレーム９と両脚体２、３の回動柱部２ｃ、３ｃを平行に折り畳んだ状態に閉脚することが可能であり、反対に、両脚体２、３を閉脚状態から開脚する際は、一方の脚体２を引き下げるだけで、第１枢結手段１１が左右フレーム９を下降することにより、枠体６の左右フレーム９を水平姿勢にすると共に、両脚体２、３を開脚することが可能である。従って、ワンタッチの作業により、閉脚及び開脚と枠体６の折り畳み及び展開が同時に行われるので、作業が頗る簡単容易となる。
【００１４】
請求項２に記載の本発明によれば、作業者が持ち上げ又は引き下げの操作を行う第１脚体２を昇降脚２Ａにより構成しているので、開脚に際しては、作業者が開脚作業位置から直ちに作業空間に昇ることができ、閉脚に際しては、作業者が作業空間から地上に下りた後、その位置で直ちに閉脚作業を行うことができるという効果がある。
【００１５】
請求項３に記載の本発明によれば、枠体６の左右フレーム９と回動柱部２ｃ、３ｃを平行姿勢とするように折り畳んだとき、左右フレーム９が非昇降脚３Ａ（第２脚体３）の内側に格納されるので、コンパクトな閉脚状態が得られる。
【００１６】
請求項４及び請求項５に記載の本発明によれば、両脚体２、３の閉脚と同時に床天板５が折り畳まれ、両脚体２、３の開脚と同時に床天板５が使用可能な展開状態とされるので、閉脚作業及び開脚作業をワンタッチで簡単容易に行うことができるという本発明の効果を最大限に発揮することが可能となる。
【図面の簡単な説明】
【００１７】
【図１】本発明の１実施形態に係る脚立式作業台の開脚状態を示す斜視図である。
【図２】本発明の１実施形態に係る脚立式作業台の開脚状態を示す側面図である。
【図３】脚体の支柱における延長柱部の回動柱部と枠体の枢結手段の構造及び作用を示しており、（Ａ）は開脚したときの枢結手段の状態を示す側面図、（Ｂ）は閉脚したときの枢結手段の状態を示す側面図である。
【図４】床天板と両脚体の間における枢着手段とスライド機構の１例を分解した状態で示す斜視図である。
【図５】床天板の枢着手段とスライド手段の構造及び作用を示しており、（Ａ）は開脚したときの状態を示す断面図、（Ｂ）はＡ−Ａ線断面図、（Ｃ）は閉脚したときの状態を示す断面図である。
【図６】脚立式作業台を開脚状態から閉脚する作業手順と作用を示しており、（Ａ）（Ｂ）（Ｃ）（Ｄ）は作業手順を順に示す側面図である。
【図７】本発明の別の実施形態に係る脚立式作業台の開脚状態を示す側面図である。
【図８】本発明の別の実施形態における枢結手段の構造及び作用を示しており、（Ａ）は開脚したときの枢結手段の状態を示す側面図、（Ｂ）は閉脚したときの枢結手段の状態を示す側面図である。
【発明を実施するための形態】
【００１８】
以下図面に基づいて本発明の好ましい実施形態を詳述する。
【００１９】
図１及び図２に示すように、脚立式作業台１は、第１脚体２と第２脚体３を相互に上部の枢結手段４を介して開閉可能に枢結しており、両脚体２、３に架設される床天板５と、該床天板５の上方に配置された枠体６を備えている。尚、図１に鎖線で示すように、両脚２、３は、伸縮脚を構成することが好ましい。
【００２０】
第１脚体２は、左右の支柱２ａ、２ａを多段式の踏桟７により連結した昇降脚２Ａを構成し、第２脚体３は、左右の支柱３ａ、３ａを連結桟８により連結した非昇降脚３Ａを構成している。従って、両脚体２、３を開脚した状態で、作業者は、昇降脚２Ａから床天板５の上に昇降することが許され、非昇降脚３Ａからの昇降が禁止されている。
【００２１】
両脚体２、３は、それぞれの支柱２ａ、２ａ及び３ａ、３ａから延びる延長支柱部２ｂ、２ｂ及び３ｂ、３ｂを床天板５の上方に延設することにより、床天板５の上方に作業空間を形成する。
【００２２】
前記枠体６は、作業空間の少なくとも三方を囲む左右フレーム９、９と交差フレーム１０を備えている。図例の場合、枠体６は、交差フレーム１０を非昇降脚３Ａの上方に臨ませており、作業空間を昇降脚２Ａに向けて開放しているが、昇降脚２Ａの上方に臨む交差フレームを設けても良い。
【００２３】
このような構成の脚立式作業台１において、第１脚体２と第２脚体３の間で相互に対向する延長柱部２ｂ、３ｂの上端部は、相互に、図３（Ａ）に示すように、左右フレーム９の軸方向に所定間隔Ｌ１をあけて配置された一対の回動柱部２ｃ、３ｃを構成し、この一対の回動柱部２ｃ、３ｃを前記枠体６の左右フレーム９に対して第１枢結手段１１と第２枢結手段１２により枢着することにより枢結手段４を構成しており、この際、前記第１枢結手段１１の枢軸位置Ｐ１を第２枢軸手段１２の枢軸位置Ｐ２よりも左右フレーム９から所定距離Ｌ２だけ長い距離で離間するように配置している。つまり、両脚体２、３を開脚した状態において、枢軸位置Ｐ１が枢軸位置Ｐ２よりも距離Ｌ２だけ下位となるように配置している。
【００２４】
図示実施形態の場合、左右フレーム９は、回動柱部２ｃ、３ｃの内側に臨むように配置されている。図示のように、第１脚体２の回動柱部２ｃは、前記所定距離Ｌ２に相当して、第２脚体３の回動柱部３ｃよりも、短くなるように形成され、これにより、該回動柱部２ｃの上端を回動柱部３ｃの上端よりも下位に位置させ、それぞれの回動柱部２ｃ、３ｃの上端に、第１枢結手段１１と第２枢結手段１２を構成する軸受ブラケット１３、１４を固着している。
【００２５】
第１枢結手段１１は、左右フレーム９から回動柱部２ｃに向けて延びるアームブラケット１５を備えており、該アームブラケット１５の先端部を前記軸受ブラケット１３の内側面に軸着している。
【００２６】
第２枢結手段１２は、前記軸受ブラケット１４を介して、左右フレーム９の外側面と回動柱部３ｃの内側面を相互に軸着している。
【００２７】
上記構成の結果、図３（Ａ）に示すように両脚体２、３を開脚した状態から、第１脚体２を持ち上げると、延長支柱部２ｂに延設された回動柱部２ｃが第１枢結手段１１を介して左右フレーム９を押し上げるので、左右フレーム９が第２枢結手段１２を支点として回動させられ、これにより、図３（Ｂ）に示すように、両脚体２、３を閉脚した状態では、左右フレーム９と一対の回動柱部２ｃ、３ｃが相互に平行な鉛直姿勢となるように折り畳まれる。
【００２８】
この際、左右フレーム９は、第２脚体３の回動柱部３ｃの内側に位置させられ、第２枢結手段１２の枢軸Ｐ２を左右フレーム９の中心軸線と回動柱部３ｃの中心軸線の交点に位置するように設けているので、図３（Ｂ）に示すように、左右フレーム９は、第２脚体３の回動柱部３ｃの内側に重なって内嵌された状態でコンパクトに折り畳まれる。
【００２９】
折り畳み状態において、第１枢結手段１１の枢軸位置Ｐ１は、第２枢結手段１２の枢軸位置Ｐ２よりも、前記所定間隔Ｌ１に相当して、上位に位置している。従って、折り畳まれた脚立式作業台１は、第２脚体３の下端部を接地した状態で、第１脚体２の下端部は地面から浮き上がることになる。そこで、図示実施形態の場合、閉脚までの第１脚体２を持ち上げる作業と操作性を良好にするため、両脚体２、３の間で相互に対向する延長支柱部２ｂ、３ｂの相互を回動自在に連結するリンクアーム１６が設けられている（図１及び図２参照）。
【００３０】
両脚体２、３に架設された前記床天板５は、基端部を第１脚体２の支柱２ａ、２ａに対して枢着手段１７を介して枢着されている。本発明において、床天板５の自由端部は、第２脚体３に対して着脱自在に構成しても良いが、図示実施形態の場合、スライド機構１８を設けている。
【００３１】
図４及び図５に示すように、前記枢着手段１７は、床天板５の基端部から下向きに枢支ブラケット１９を延設し、該枢支ブラケット１９を第１脚体２の支柱２ａの内側に固着された軸支ブラケット２０に軸着している。この際、枢支ブラケット１９と軸支ブラケット２０の相互には、床天板５を水平姿勢としたときに嵌合する凹凸を構成する凹部２１とピン２２が設けられている。
【００３２】
前記スライド機構１８は、床天板５の側面に沿って延設したスリットから成るガイド溝２３と、該ガイド溝２３に摺動自在に挿入されたガイドピン２４により構成され、ガイドピン２４は、第２脚体３の支柱３ａの内側に固着された支持支ブラケット２５から突設されており、これにより、支柱３ａと床天板５の移動自在な交点を構成している。
【００３３】
従って、図５（Ａ）に示すように両脚体２、３を開脚した状態から、上述のように第１脚体２を持ち上げながら閉脚すると、図５（Ｃ）に示すように、相対的に、第１脚体２が上向き移動し、第２脚体３が下向き移動しながら、相互の間隔を狭めるので、凹部２１とピン２２が離反することにより嵌合を解除し、床天板５が枢着手段１７を介して自由端部を下向きとする方向に回動を許され、それと同時に、スライド機構１８のガイドピン２４がガイド溝２３に沿って床天板５の基端部に向けて摺動することにより、両脚体２、３の閉脚と連動して床天板５を回動させる。そして、両脚体２、３を完全に閉脚したとき、床天板５は、第２脚体３の支柱３ａの内側に重なり、コンパクトに折り畳まれる。
【００３４】
上記のように構成した脚立式作業台１を開脚状態から閉脚する作業手順と作用を図６に示している。図６（Ａ）に示す開脚状態から閉脚作業を行う際は、先ず、図６（Ｂ）に示すように、第１脚体２を持ち上げる。これにより、第２脚体３が直立姿勢を保持し、この状態で、上述のように枠体６の左右フレーム９の第１枢結手段１１が持ち上げられることにより回動を開始すると共に、床天板５がガイドピン２４の摺動により回動を開始する。更に、図６（Ｃ）に示すように第１脚体２を上向きに移動させると、上述のように、両脚体２、３が平行姿勢となるように閉脚され、枠体６が第２脚体３の支柱３ａ、３ａの間に格納され、床天板５が第２脚体３の支柱３ａ、３ａの間に格納されることにより、図６（Ｄ）に示すようなコンパクトな折り畳み状態が得られる。脚立式作業台１を閉脚状態から開脚する場合は、前記と反対の作業手順を行えば良い。
【００３５】
従って、脚立式作業台１は、開脚状態から閉脚するときは、単に第１脚体２を持ち上げるだけで良く、反対に、閉脚状態から開脚するときは、単に第１脚体２を引き下げるだけで良く、何れの作業もワンタッチで簡単容易に行うことができる。
【００３６】
この際、作業者が持ち上げ又は引き下げの操作を行う第１脚体２は、上述のように昇降脚２Ａを構成しているので、更に作業が簡容易となる。即ち、開脚に際して、作業者は、第１脚体２（昇降脚２Ａ）の正面側から開脚作業を行い、開脚後は、開脚作業位置から直ちに上方の作業空間に昇ることができる。また、閉脚に際して、作業者は、作業空間から第１脚体２（昇降脚２Ａ）を経て地上に下りた後、その位置から直ちに閉脚作業を行うことができる。
【００３７】
［別の実施形態］
図７及び図８は、本発明の別の実施形態を示している。この実施形態において、床天板５は、両端部をそれぞれ第１脚体２の支柱２ａと第２脚体３の支柱３ａに枢着手段１７ａ、１７ｂを介して軸着されている。従って、上記実施形態のようなスライド機構を有していないので、第１脚体２を持ち上げると、図７に鎖線で示すように、床天板５は、第２脚体３に対して上向き回動しながら第１脚体２と共に持ち上げられる。
【００３８】
枠体６の左右フレーム９と回動軸部２ｃ、３ｃを枢結する第１枢結手段１１と第２枢結手段１２は、上記実施形態と同様に、所定間隔Ｌ１と所定長さＬ２の条件の下に配置されているが、両脚体２、３を開脚したときに規定された所定間隔Ｌ１が両脚体２、３を閉脚したときに伸長するように構成している。このため、左右フレーム９に沿って設けた長孔等から成る枢軸位置Ｐ２の枢軸移動手段２６を設けている。
【００３９】
従って、この実施形態によれば、図８（Ａ）に示す開脚状態から、第１脚体２を持ち上げると、上述したように床天板５が第２脚体３に対して上向き回動しながら第１脚体２と共に持ち上げられ、同時に、該第１脚体２の回動柱部２ｃが第１枢結手段１１を介して左右フレーム９を押し上げる。この際、左右フレーム９は、第２脚体３の回動柱部３ｃの第２枢結手段１２を前記枢軸移動手段２６を介して移動させながら、図８（Ｂ）に示すように前記間隔Ｌを間隔Ｌ１＋Ｅとするように広げながら上向きに押し上げられる。
【００４０】
その結果、左右フレーム９が第２枢結手段１２を支点として回動すると共に枢軸移動手段２６により持ち上げられ、これにより、図８（Ｂ）に示すように、両脚体２、３を閉脚した状態では、左右フレーム９と一対の回動柱部２ｃ、３ｃが相互に平行な鉛直姿勢となるように折り畳まれる。そして、床天板５は、両脚体２、３の延長支柱部２ｂ、３ｂの間に折り畳まれる。
【符号の説明】
【００４１】
１  脚立式作業台
２  第１脚体
２Ａ  昇降脚
２ａ  支柱
２ｂ  延長支柱部
２ｃ  回動柱部
３  第２脚体
３Ａ  非昇降脚
３ａ  支柱
３ｂ  延長支柱部
３ｃ  回動柱部
４  枢結手段
５  床天板
６  枠体
７  踏桟
８  連結桟
９  左右フレーム
１０  交差フレーム
１１  第１枢結手段
１２  第２枢結手段
１３、１４  軸受ブラケット
１５  アームブラケット
１６  リンクアーム
１７  枢着手段
１８  スライド機構
１９  枢支ブラケット
２０  軸支ブラケット
２１  凹部
２２  ピン
２３  ガイド溝
２４  ガイドピン
２５  支持ブラケット
２６  枢軸移動手段
【図１】
2015031103.tif 000003
【図２】
2015031103.tif 000004
【図３】
2015031103.tif 000005
【図４】
2015031103.tif 000006
【図５】
2015031103.tif 000007
【図６】
2015031103.tif 000008
【図７】
2015031103.tif 000009
【図８】
2015031103.tif 000010